(57)【特許請求の範囲】
【請求項１】
並び方向に沿って並べられる複数のバッテリに取り付けられ、これらバッテリを直列接続する連結キャップであって、
前記バッテリから突出した両電極に嵌合する一対の電極嵌合部と、
前記一対の電極嵌合部の一方に接続され、第１雄端子部が形成された第１導電部材と、
前記一対の電極嵌合部の他方に接続され、他の連結キャップの第１雄端子部が嵌合する第１雌端子部が形成された第２導電部材と、
前記一対の電極嵌合部、前記第１導電部材、及び、前記第２導電部材が収容されるハウジングと、を備え、
前記第１雄端子部が、前記ハウジングの前記並び方向一方側から突出し、
前記第１雌端子部が、前記第１雄端子部と前記並び方向に並んで配置され、前記ハウジングの前記並び方向他方側に設けられた開口から露出している
ことを特徴とする連結キャップ。
【請求項２】
前記第１導電部材には、複数の前記第１雄端子部が形成され、
前記第２導電部材には、前記第１雄端子部と同じ数の前記第１雌端子部が形成されている
ことを特徴とする請求項１に記載の連結キャップ。
【請求項３】
前記ハウジングには、前記バッテリの両端電圧を検出する電圧検出手段を有する基板が搭載されている
ことを特徴とする請求項１又は２に記載の連結キャップ。
【請求項４】
前記ハウジングは、前記第１導電部材及び前記第２導電部材を収容するハウジング本体部と、前記ハウジング本体部から前記バッテリの電極に向かって突出し、前記一対の電極嵌合部をそれぞれ収容する一対の突出部と、が設けられている
ことを特徴とする請求項１〜３何れか１項に記載の連結キャップ。
【請求項５】
第２雄端子部及び第２雌端子部がそれぞれ設けられた第３導電部材をさらに備え、
前記第２雄端子部が、前記ハウジングの並び方向一方側から突出し、
前記第２雌端子部が、前記第２雄端子部の前記並び方向に並んで配置され、前記ハウジングの並び方向他方側に設けた開口から露出している
ことを特徴とする請求項１〜４何れか１項に記載の連結キャップ。
【発明の詳細な説明】
【技術分野】
【０００１】
本発明は、連結キャップに係り、特に、並び方向に沿って並べられる複数のバッテリに取り付けられ、これらバッテリを直列接続する連結キャップに関するものである。
【背景技術】
【０００２】
例えば、電動モータなどを用いて走行する電気自動車や、エンジンと電動モータとを併用して走行するハイブリッド自動車などには、前記電動モータの駆動源として組電池が搭載されている。組電池は、互いに重ねて並べられると共に互いに直列接続された複数のバッテリから構成されている。これら複数のバッテリを直列接続するため、例えばバッテリの電極をバッテリの上面から突出する第１壁部と、第１壁部の上端からバッテリの上面と平行な第２壁部と、を有するＬ字状に設け、複数のバッテリを重ねて並べたときに互いに隣接するバッテリのＬ字状電極の第２壁部と第２壁部とが重なり、これをリベットなどの固定具で接続することが提案されている（特許文献１）。
【０００３】
しかしながら、この方法では、複数のバッテリを直列接続するためにリベットなどの固定具を使用する。バッテリの組付けには、多種類の部品を必要とするため、電気自動車やハイブリッド自動車などバッテリ数が多い組電池では作業効率が悪く、部品点数も多くなってしまう、という問題があった。
【先行技術文献】
【特許文献】
【０００４】
【特許文献１】特開２００８−１８１７６５号公報
【発明の概要】
【発明が解決しようとする課題】
【０００５】
そこで、本発明は、複数のバッテリの組み付けが容易になると共に組み付け部品点数の削減を図った連結キャップを提供することを課題とする。
【課題を解決するための手段】
【０００６】
上述した課題を解決するための請求項１記載の発明は、並び方向に沿って並べられる複数のバッテリに取り付けられ、これらバッテリを直列接続する連結キャップであって、前記バッテリから突出した両電極に嵌合する一対の電極嵌合部と、前記一対の電極嵌合部の一方に接続され、第１雄端子部が形成された第１導電部材と、前記一対の電極嵌合部の他方に接続され、他の連結キャップの第１雄端子部が嵌合する第１雌端子部が形成された第２導電部材と、前記一対の電極嵌合部、前記第１導電部材、及び、前記第２導電部材が収容されるハウジングと、を備え、前記第１雄端子部が、前記ハウジングの前記並び方向一方側から突出し、前記第１雌端子部が、前記第１雄端子部と前記並び方向に並んで配置され、前記ハウジングの前記並び方向他方側に設けられた開口から露出していることを特徴とする連結キャップに存する。
【０００７】
請求項２記載の発明は、前記第１導電部材には、複数の前記第１雄端子部が形成され、前記第２導電部材には、前記第１雄端子部と同じ数の前記第１雌端子部が形成されていることを特徴とする請求項１に記載の連結キャップに存する。
【０００８】
請求項３記載の発明は、前記ハウジングには、前記バッテリの両端電圧を検出する電圧検出手段を有する基板が搭載されていることを特徴とする請求項１又は２に記載の連結キャップに存する。
【０００９】
請求項４記載の発明は、前記ハウジングは、前記第１導電部材及び前記第２導電部材を収容するハウジング本体部と、前記ハウジング本体部から前記バッテリの電極に向かって突出し、前記一対の電極嵌合部をそれぞれ収容する一対の突出部と、が設けられていることを特徴とする請求項１〜３何れか１項に記載の連結キャップに存する。
【００１０】
請求項５記載の発明は、第２雄端子部及び第２雌端子部がそれぞれ設けられた第３導電部材をさらに備え、前記第２雄端子部が、前記ハウジングの並び方向一方から突出し、前記第２雌端子部が、前記第２雄端子部の前記並び方向に並んで配置され、前記ハウジングの並び方向他方側に設けた開口から露出していることを特徴とする請求項１〜４何れか１項に記載の連結キャップに存する。
【発明の効果】
【００１１】
以上説明したように請求項１記載の発明によれば、第１雄端子部が、ハウジングの並び方向一方側から突出し、第１雌端子部が、第１雄端子部と並び方向に並んで配置され、ハウジングの並び方向他方側に設けられた開口から露出しているので、連結キャップをバッテリに取り付け、バッテリを並び方向に重ねて並べるときに隣接するバッテリの一方に取り付けられた連結キャップの第１雌端子部と他方に取り付けられた連結キャップの第１雄端子部とを嵌合させるだけでよく、固定具を用いる必要もない。このため、複数のバッテリの組み付けが容易になると共に組み付け部品点数の削減を図ることができる。
【００１２】
請求項２記載の発明によれば、第１雄端子部及び第１雌端子部を複数設けることにより複数のバッテリの組み付け強度を向上させ、電気的な接続も確実に行うことができる。
【００１３】
請求項３記載の発明によれば、ハウジングには、バッテリの両端電圧を検出する電圧検出手段を有する基板が搭載されているので、バッテリの両端電圧を検出するための電圧検出線を各バッテリから引き回す必要がない。
【００１４】
請求項４記載の発明によれば、連結キャップをバッテリに取り付けたときに一対の突出部間にスペースができるため、そのスペースを空冷用のダクトとして利用したり、ガス排気用のチューブを通すことができる。
【００１５】
請求項５記載の発明によれば、並び方向の最も一方側のバッテリに取り付けられた連結キャップの第１及び第２導電部材の何れか一方と第３導電部材とを接続すると、第３導電部材によって最も一方側のバッテリの電極を最も他方側のバッテリまで持ってくることができる。
【図面の簡単な説明】
【００１６】
【図１】（Ａ）は、連結キャップの上面図であり、（Ｂ）は、連結キャップの下面図である。
【図２】（Ａ）は、連結キャップの並び方向一方側の側面図であり、（Ｂ）は、連結キャップの並び方向他方側の側面図である。
【図３】連結キャップを構成する一対の電極嵌合部、第１導電部材、第２導電部材及び第３導電部材の斜視図である。
【図４】図１及び図２に示す連結キャップが取り付けられる組電池の上面図である。
【図５】図１及び図２に示す連結キャップを取り付けた組電池の側面図である。
【図６】図１及び図２に示す連結キャップを取り付けた組電池の側面図である。
【図７】図１及び図２に示す連結キャップを取り付けた組電池の上面図である。
【発明を実施するための形態】
【００１７】
以下、本発明の連結キャップについて図１乃至図７を参照して説明する。この連結キャップ１は、図５乃至図７に示すように、組電池を構成する複数の単位セル２にそれぞれ取り付けられている。これら単位セル２は互いに、同一形状、同一の大きさに設けられている。複数の単位セル２は各々、図４に示すように、箱型のセル本体２１と、セル本体２１の上面から突出したプラス電極２２ａ及びマイナス電極２２ｂと、から構成されている。
【００１８】
プラス電極２２ａ及びマイナス電極２２ｂは、電極並び方向Ｙ３に並べて設けられている。図４に示す例では、プラス電極２２ａ及びマイナス電極２２ｂは、楕円柱状に形成されているが、他の形状であってもよい。これら単位セル２は、プラス電極２２ａ及びマイナス電極２２ｂの突出方向Ｙ２及び電極並び方向Ｙ３と直交するセル並び方向Ｙ１に沿ってセル本体２１を互いに重ねて並べられている。このとき、複数の単位セル２の各プラス電極２２ａがセル並び方向Ｙ１に一列に並び、複数の単位セル２の各マイナス極２２ｂがセル並び方向Ｙ１に沿って一列に並ぶように、単位セル２が重ねて並べられる。
【００１９】
上述した複数の単位セル２にそれぞれ取り付けられる複数の連結キャップ１は互いに、同一形状、同一の大きさに設けられている。複数の連結キャップ１は各々、図３などに示すように、単位セル２から突出したプラス電極２２ａ及びマイナス電極２２ｂに嵌合する一対の電極嵌合部３ａ及び３ｂと、電極嵌合部３ａに接続され、２つの第１雄端子部４ａが形成された第１導電部材４と、電極嵌合部３ｂに接続され、２つの第１雌端子部５ａが形成された第２導電部材５と、第２雄端子部６ａ及び第２雌端子部６ｂがそれぞれ設けられた第３導電部材６と、これら一対の電極嵌合部３ａ及び３ｂ、第１導電部材４、第２導電部材５及び第３導電部材６が収容されるハウジング７（図１及び図２など）と、を備えている。
【００２０】
上記一対の電極嵌合部３ａ及び３ｂは、導電性部材から成り、上面視楕円形の筒状に設けられている。この一対の電極嵌合部３ａ及び３ｂ内に楕円筒状のプラス電極２２ａ及びマイナス電極２２ｂを嵌合することができる。そして、嵌合すると、電極嵌合部３ａがプラス電極２２ａに、電極嵌合部３ｂがマイナス電極２２ｂにそれぞれ電気的に接続される。また、電極嵌合部３ａ及び３ｂの内周面には、図１などに示すように、プラス電極２２ａ及びマイナス電極２２ｂの突出方向Ｙ２に沿って凸となり、内周方向に並べて設けられた複数の凸部が設けられている。この凸部によりプラス電極２２ａ及びマイナス電極２２ｂが電極嵌合部３ａ及び３ｂ内に圧入され、プラス電極２２ａ及びマイナス電極２２ｂと、電極嵌合部３ａ及び３ｂと、が確実に電気的に接続される。
【００２１】
第１導電部材４は、図３などに示すように、全体が帯状（バスバ状）の導電部材から構成され、２つの第１雄端子部４ａと、連結部４ｂと、電極嵌合部３ａに接続される接続部４ｃと、を有している。２つの第１雄端子部４ａは、セル並び方向Ｙ１に沿って互いに平行に設けられると供に、電極並び方向Ｙ３に互いに離間して設けられている。連結部４ｂは、電極並び方向Ｙ３に沿って設けられ、２つの第１雄端子部４ａのセル並び方向Ｙ１の他方側同士を接続する。接続部４ｃは、連結部４ｂからセル並び方向Ｙ１他方側に向かって突出し、電極嵌合部３ａの上面に例えば溶接などにより接続されている。接続部４ｃと、第１雄端子部４ａと、はセル並び方向Ｙ１に沿った一直線上に設けられている。
【００２２】
第２導電部材５は、２つの第１雌端子部５ａと、連結部５ｂと、電極嵌合部３ｂに接続される接続部５ｃと、を有している。２つの第１雌端子部５ａは、セル並び方向Ｙ１に貫通する四角筒状に設けられ、電極並び方向Ｙ３に互いに離間して設けられている。この２つの第１雌端子部５ａは、その内部に他の連結キャップ１の第１雄端子部４ａが嵌合される。また、第１雌端子部５ａの内周面には、図２（Ｂ）などに示すように、セル並び方向Ｙ１に沿って凸となり、内周方向に沿って並べて設けられた複数の凸部が設けられている。この凸部により他の連結キャップ１の断面矩形状の第１雄端子部４ａが第１雌端子部５ａに圧入され、他の連結キャップ１の第１雄端子部４ａと第１雌端子部５ａと、が確実に電気的に接続される。
【００２３】
連結部５ｂは、電極並び方向Ｙ３に沿った帯状に設けられ、２つの第１雌端子部５ａのセル並び方向Ｙ１の一方側同士を接続する。接続部５ｃは、連結部５ｂからセル並び方向Ｙ１一方側に向かって突出し、電極嵌合部３ｂの上面に例えば溶接などにより接続されている。接続部５ｃと、電極並び方向Ｙ３マイナス側の第１雌端子部５ａと、はセル並び方向Ｙ１に沿った一直線上に設けられている。
【００２４】
第３導電部材６は、帯状の第２雄端子部６ａと、四角筒状の第２雌端子部６ｂと、がセル並び方向Ｙ１に並べて設けられている。第２雌端子部６ｂは、上述した第１雌端子部５ａと同じであるため、詳細な説明を省略する。第３導電部材６は、第１導電部材４及び第２導電部材５と絶縁を図るため、第１導電部材４及び第２導電部材５よりも突出方向Ｙ２の単位セル２から離れた側に配置される。
【００２５】
上記ハウジング７は、合成樹脂などの絶縁部材で構成されており、電極嵌合部３ａ、３ｂ、第１導電部材４、第２導電部材５及び第３導電部材６を互いに絶縁して収容している。ハウジング７は、例えばこれら電極嵌合部３ａ、３ｂ、第１導電部材４、第２導電部材５及び第３導電部材６を金型に挿入するインサート成形により形成されている。このとき、図１などに示すように、第１導電部材４の第１雄端子部４ａが、ハウジング７のセル並び方向Ｙ１一方側から突出する。
【００２６】
また、図１や図３などに示すように、第２導電部材５の第１雌端子部５ａが、第１雄端子部４ａとセル並び方向Ｙ１に沿って配置され、図２（Ｂ）に示すように、ハウジング７のセル並び方向Ｙ１他方側に設けられた開口７ａから露出している。また、図１などに示すように、第２雄端子部６ａが、ハウジング７のセル並び方向Ｙ１一方側から突出する。また、図２（Ｂ）に示すように、第２雌端子部６ｂが、ハウジング７のセル並び方向Ｙ１他方側に設けられた開口７ｂから露出している。
【００２７】
上記ハウジング７には、図１及び図２などに示すように、その上面（即ち、突出方向Ｙ２側の面）に単位セル２の両端電圧を検出する電圧検出手段としての電圧検出ＩＣ８ａを有する基板としてのサブ基板８が搭載されている。サブ基板８は、例えば、第１導電部材４及び第２導電部材５に電気的に接続されている。電圧検出ＩＣ８ａは、第１導電部材４及び第２導電部材５間の電圧を単位セル２の両端電圧として検出する。
【００２８】
また、上記ハウジング７は、第１導電部材４、第２導電部材５及び第３導電部材６を収容する箱型のハウジング本体部７１と、ハウジング本体部７１から単位セル２のプラス電極２２ａ及びマイナス電極２２ｂに向かって突出し、一対の電極嵌合部３ａ及び３ｂをそれぞれ収容する一対の突出部７２ａ、７２ｂと、が設けられている。一対の電極嵌合部３ａ及び３ｂは、図１（Ｂ）に示すように、一対の突出部７２ａ及び７２ｂの突出方向Ｙ２単位セル２側に設けられた開口７ｃから露出している。
【００２９】
次に、上述した構成の連結キャップ１を用いた単位セル２の組み付け手順について説明する。まず、図６に示すように、連結キャップ１の電極嵌合部３及び３ｂ内に単位セル２のプラス電極２２ａ及びマイナス電極２２ｂを嵌合することにより、単位セル２の上面に連結キャップ１を取り付ける。組電池を構成する全ての単位セル２それぞれに同様にして連結キャップ１を取り付ける。次に、まず図５に示すように、２つの単位セル２同士をセル並び方向Ｙ１に沿って互いに近づけ、重ねる。なお、図５は部分的に断面図になっている。
【００３０】
このとき、セル並び方向Ｙ１一方側（図５中右側）の単位セル２に取り付けられた連結キャップ１の第１雌端子部５ａに、他方側（図５中左側）の単位セル２に取り付けられた連結キャップ１の第１雄端子部４ａを嵌合させる。これにより、セル並び方向Ｙ１一方側の単位セル２に取り付けられた連結キャップ１の第１雌端子部５ａと、他方側の単位セル２に取り付けられた連結キャップ１の第１雄端子部４ａと、が電気的に接続され、結果、他方側の単位セル２のプラス電極２２ａと、一方側の単位セル２のマイナス電極２２ｂと、が電気的に接続される。即ち、互いに隣り合う２つの単位セル２が直列接続される。
【００３１】
また、２つの単位セル２同士を重ねるとき、セル並び方向Ｙ１一方側の単位セル２に取り付けられた連結キャップ１の第２雌端子部６ｂに、他方側の単位セル２に取り付けられた連結キャップ１の第２雄端子部６ａを嵌合させる。これにより、セル並び方向Ｙ１一方側の単位セル２に取り付けられた連結キャップ１の第２雌端子部６ｂと、他方側の単位セル２に取り付けられた連結キャップ１の第２雄端子部６ａと、が電気的に接続され、結果、互いに隣接する連結キャップ１の第３導電部材６同士が電気的に接続される。
【００３２】
同様に、複数の単位セル２を重ねると、複数の単位セル２が直列接続され、図７に示すように組電池が完成する。その後、図７に示すように、セル並び方向Ｙ１の最も一方側に位置する連結キャップ１に第１エンドプレート９を取り付ける。第１エンドプレート９は、２つの第１雄端子部４ａ及び第２雄端子部６ａにそれぞれ嵌合する２つの第３雌端子部９ａ及び第４雌端子部９ｂと、これを収容するハウジング９ｃと、を備えている。第３雌端子部９ａ及び第４雌端子部９ｂは、上述した第１メス端子部５ａと同じであるため、詳細な説明を省略する。また、第３雌端子部９ａ及び第４雌端子部９ｂは、図示しない帯状の連結部により互いに電気的に接続されていて、ハウジング９ｃのセル並び方向Ｙ１他方側の開口から露出している。
【００３３】
そして、この第１エンドプレート９の第３雌端子部９ａ及び第４雌端子部９ｂに、セル並び方向Ｙ１の最も一方側に位置する連結キャップ１の第１雄端子部４ａ及び第２雄端子部６ａを嵌合させて、第１エンドプレート９を取り付ける。これにより、セル並び方向Ｙ１最も一方側に位置する単位セル２のプラス電極２２ａが、その第１導電部材４、第１エンドプレート９の第３雌端子部９ａ及び第４雌端子部９ｂを介して、その第３導電部材６に接続される。上述したように隣接する連結キャップ１の第３導電部材６は、互いに接続されるため、セル並び方向Ｙ１の最も一方側に位置する単位セル２のプラス電極２２ａ（総＋）を、セル並び方向Ｙ１最も他方側に位置する単位セル２に取り付けられた連結キャップ１の第２雌端子部６ｂまで導くことができる。
【００３４】
また、図７に示すように、セル並び方向Ｙ１の最も他方側に位置する連結キャップ１に第２エンドプレート１０を取り付ける。この第２エンドプレート１０は、２つの第１雌端子部５ａ及び第２雌端子部６ｂにそれぞれ嵌合する２つの第３雄端子部１０ａ及び第４雄端子部１０ｂと、これを収容するハウジング１０ｃと、を備えている。第２エンドプレート１０のハウジング１０ｃ内には、図示しない負荷に電源を供給するための図示しない一対の端子がさらに収容されていて、一方が２つの第３雄端子部１０ａに接続され、他方が第４雄端子部１０ｂに接続されている。そして、この第２エンドプレート１０の第３雄端子部１０ａ及び第４雄端子部１０ｂに、セル並び方向Ｙ１最も他方側に位置する連結キャップ１の第１雌端子部５ａ及び第２雌端子部６ｂを嵌合させて、第２エンドプレート１０を取り付けると、組電池の組み付けが完成する。
【００３５】
上述した連結キャップ１によれば、単位セル２のプラス電極２２ａに電極嵌合部３ａを介して接続された第１雄端子部４ａが、ハウジング７のセル並び方向Ｙ１一方側から突出し、単位セル２のマイナス電極２２ｂに電極嵌合部３ｂを介して接続された第１雌端子部５ａが、第１雄端子部４ａとセル並び方向Ｙ１に並んで配置され、ハウジング７のセル並び方向Ｙ１他方側に設けられた開口７ａから露出している。これにより、連結キャップ１を単位セル２に取り付け、単位セル２をセル並び方向Ｙ１に重ねて並べるときに隣接する単位セル２の一方に取り付けられた連結キャップ１の第１雌端子部５ａと他方に取り付けられた連結キャップ１の第１雄端子部４ａとを嵌合させるだけでよく、複数の単位セル２の組み付けが容易になると共に組み付け部品点数の削減を図ることができる。
【００３６】
上述した連結キャップ１によれば、第１導電部材４には、２つの第１雄端子部４ａが形成され、第２導電部材５には、第１雄端子部４ａと同じ数の第１雌端子部５ａが形成されている。このように、第１雄端子部４ａ及び第１雌端子部５ａを複数設けることにより複数の単位セル２の組み付け強度を向上させ、電気的な接続も確実に行うことができる。
【００３７】
また、上述した連結キャップ１によれば、ハウジング７には、単位セル２の両端電圧を検出する電圧検出ＩＣ８ａを有する基板８が搭載されているので、単位セル２の両端電圧を検出するための電圧検出線を各単位セル２から引き回す必要がない。
【００３８】
また、上述した連結キャップ１によれば、ハウジング７には、第１導電部材４、第２導電部材５及び第３導電部材６を収容するハウジング本体部７１と、ハウジング本体部７１から単位セル２のプラス電極２２ａ及びマイナス電極２２ｂに向かって突出し、一対の電極嵌合部３ａ及び３ｂをそれぞれ収容する一対の突出部７２ａ及び７２ｂと、が設けられている。これにより、図６に示すように、連結キャップ１を単位セル２に取り付けたときに一対の突出部７２ａ及び７２ｂ間、ハウジング本体部７１及び単位セル２の上面間にスペースができるため、そのスペースを空冷用のダクトとして利用したり、ガス排気用のチューブを通すことができる。
【００３９】
また、上述した連結キャップ１によれば、第１エンドプレート９によってセル並び方向Ｙ１の最も一方側の単位セル２に取り付けられた連結キャップ１の第１導電部材４と第３導電部材６とを接続すると、第３導電部材６によって最も一方側の単位セル２のプラス電極２２ａ（総＋）を最も他方側の単位セル２まで持ってくることができる。
【００４０】
なお、上述した実施形態によれば、第１導電部材４には２つの第１雄端子部４ａが形成されていたが、本発明はこれに限ったものではない。第１雄端子部４ａとしては、１つだけ形成しても良いし、３つ以上形成しても良い。
【００４１】
また、上述した実施形態によれば、単位セル２のプラス電極２２ａに接続された電極嵌合部３ａを第１導電部材４に、マイナス電極２２ｂに接続された電極嵌合部３ｂを第２導電部材５に、それぞれ接続していたが、本発明はこれに限ったものではない。逆に、単位セル２のプラス電極２２ａに接続された電極嵌合部３ａを第２導電部材５に、マイナス電極２２ｂに接続された電極嵌合部３ｂを第１導電部材４に、それぞれ接続してもよい。
【００４２】
また、上述した実施形態によれば、図７に示すように、第１エンドプレート９により、セル並び方向Ｙ１右側の単位セル２に取り付けられた連結キャップ１の第１導電部材４と第３導電部材６とを接続していたが、本発明はこれに限ったものではない。逆に、第２エンドプレート１０により、セル並び方向Ｙ１左側の単位セル２に取り付けられた連結キャップ１の第２導電部材５と第３導電部材６とを接続するようにしてもよい。
【００４３】
また、上述した実施形態によれば、ハウジング７の第１雄端子部４ａが突出している側の面から第２雄端子部６ａも突出させ、第１雌端子部５ａが露出されている側の面から第２雌端子部６ｂも露出させていたが、本発明はこれに限ったものではない。逆に、ハウジング７の第１雄端子部４ａが突出している側の面から第２雌端子部６ｂを露出させ、第１雌端子部５ａが露出されている側の面から第２雄端子部６ａを突出させるようにしてもよい。
【００４４】
また、上述した実施形態によれば、第１、第２雄端子部４ａ、６ａは帯状に、第１、第２雌端子部５ａ、６ｂは四角筒状に設けられていたが、本発明はこれに限ったものではない。第１、第２雄端子部４ａ、６ａとしては、他の公知の雄端子形状であってもよく、第１、第２雌端子部５ａ、６ｂとしては、第１、第２雄端子部４ａ、６ａに嵌合する他の高知の雌端子であってもよい。
【００４５】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４６】
１      連結キャップ
２      単位セル（バッテリ）
３ａ    電極嵌合部
３ｂ    電極嵌合部
４      第１導電部材
４ａ    第１雄端子部
５      第２導電部材
５ａ    第１雌端子部
６      第３導電部材
６ａ    第２雄端子部
６ｂ    第２雌端子部
７      ハウジング
８      サブ基板（基板）
８ａ    電圧検出ＩＣ（電圧検出手段）
２２ａ  プラス電極（電極）
２２ｂ  マイナス電極（電極）
７１    ハウジング本体部
７２    突出部
Ｙ１    セル並び方向（並び方向）
【図１】
0005875108.tif 000002
【図２】
0005875108.tif 000003
【図３】
0005875108.tif 000004
【図４】
0005875108.tif 000005
【図５】
0005875108.tif 000006
【図６】
0005875108.tif 000007
【図７】
0005875108.tif 000008